(57)【要約】【課題】  原稿の表面と裏面を異なる読取手段により読み取る画像読取装置において、簡易な構成により、表裏の原稿反射率−読取輝度特性を合わせるとともに、表裏の色差を軽減する。【解決手段】  表面読取部及び裏面読取部により読み取られたグレーチャートの画像データに基づいて、表面読取部の原稿反射率−読取輝度特性に合わせるように、裏面読取部の原稿反射率−読取輝度特性のゲインとオフセットを制御する。続いて、表面読取部及び裏面読取部により読み取られたカラーチャートの画像データに基づいて、表面読取部と裏面読取部の色差が軽減されるように、裏面読取部の原稿反射率−読取輝度特性のオフセットを色成分毎に制御する。【選択図】  図９
2008301213.tif 000002
【特許請求の範囲】
【請求項１】
原稿の一方の面を読み取る第１読取手段と、
前記原稿の他方の面を読み取る第２読取手段と、
前記第２読取手段の原稿反射率−読取輝度特性の傾きと切片を色成分毎に補正する補正手段を有し、
前記補正手段は、前記第１読取手段及び前記第２読取手段により読み取られたモノクロ基準原稿の画像データに基づいて、前記第１読取手段の原稿反射率−読取輝度特性に合わせるように、前記第２読取手段の原稿反射率−読取輝度特性の傾きと切片を補正した後、前記第１読取手段及び前記第２読取手段により読み取られたカラー基準原稿の画像データに基づいて、前記第１読取手段と前記第２読取手段の色差が軽減されるように、前記第２読取手段の原稿反射率−読取輝度特性の切片を色成分毎に補正することを特徴とした画像読取装置。
【請求項２】
前記補正手段は、前記第１読取手段及び前記第２読取手段により読み取られたモノクロ基準原稿の画像データに基づいて、前記第１読取手段の原稿反射率−読取輝度特性の傾きと切片に、前記第２読取手段の原稿反射率−読取輝度特性の傾きと切片を一致させることを特徴とする請求項１記載の画像形成手段。
【請求項３】
前記モノクロ基準原稿は、少なくとも２つの異なる反射率を有する階調画像からなり、前記補正手段は、前記第１読取手段及び前記第２読取手段により読み取られた２つの異なる階調画像の画像データに基づいて、前記第１読取手段と前記第２読取手段の原稿反射率−読取輝度特性の直線近似を行うことを特徴とする請求項１記載の画像読取装置。
【請求項４】
前記２つの異なる反射率の間における前記第１読取手段及び前記第２読取手段の原稿反射率−読取輝度特性は、非線形部分を避けた直線近似可能な部分であることを特徴とする請求項３記載の画像読取装置。
【請求項５】
前記カラー基準原稿は、複数色の基準色画像からなり、前記補正手段は、前記第１読取手段及び前記第２読取手段により読み取られた前記カラー基準原稿の各基準色画像の色成分のうち、所定反射率以下となる色成分の表裏輝度差に応じて、前記第２読取手段の原稿反射率−読取輝度特性の切片を色成分毎に補正することを特徴とした請求項１記載の画像読取装置。
【請求項６】
前記補正手段は、前記所定反射率以下となる色成分の表裏輝度差の前記基準色画像間の平均値に応じて、前記第２読取手段の原稿反射率−読取輝度特性の切片を色成分毎に補正することを特徴とした請求項５記載の画像読取装置。
【請求項７】
前記補正手段は、前記所定反射率以下となる色成分の表裏輝度差の前記基準色画像間の平均値を２分の１した値に応じて、前記第２読取手段の原稿反射率−読取輝度特性の切片を色成分毎に補正することを特徴とした請求項５記載の画像読取装置。
【請求項８】
前記補正手段は、前記所定反射率以下となる色成分の表裏輝度差の前記基準色画像間の平均値を２分の１した値が所定範囲を超える場合は、所定範囲内の最大値に応じて、前記第２読取手段の原稿反射率−読取輝度特性の切片を色成分毎に補正することを特徴とした請求項７記載の画像読取装置。
【請求項９】
前記モノクロ基準原稿は、複数の中間調の階調パッチからなり、前記カラー基準原稿は、複数色の色パッチからなることを特徴とする請求項１記載の画像読取装置。
【請求項１０】
前記第１読取手段は、縮小光学系を用いた読取手段、前記第２読取手段は、等倍光学系を用いた読取手段であることを特徴とする請求項１記載の画像読取装置。
【請求項１１】
前記第２読取手段の原稿反射率−読取輝度特性の切片の補正値を指定するための操作部を有し、前記補正手段は前記操作部からの指定に応じて前記第２読取手段の原稿反射率−読取輝度特性の切片を色成分毎に補正することを特徴とする請求項１記載の画像読取装置。
【請求項１２】
原稿の一方の面を読み取る第１読取手段と、
前記原稿の他方の面を読み取る第２読取手段と、
前記第２読取手段の原稿反射率−読取輝度特性のゲインとオフセットを色成分毎に補正する補正手段を有し、
前記補正手段は、前記第１読取手段及び前記第２読取手段により読み取られたモノクロ基準原稿の画像データに基づいて、前記第１読取手段の原稿反射率−読取輝度特性に合わせるように、前記第２読取手段の原稿反射率−読取輝度特性の傾きと切片を補正した後、前記第１読取手段及び前記第２読取手段により読み取られたカラー基準原稿の画像データに基づいて、前記第１読取手段と前記第２読取手段の色差が軽減されるように、前記第２読取手段の原稿反射率−読取輝度特性のオフセットを色成分毎に補正することを特徴とした画像読取装置。
【請求項１３】
原稿の一方の面を読み取る第１読取手段と、
前記原稿の他方の面を読み取る第２読取手段と、
前記第１読取手段と前記第２読取手段との読み取り階調特性の相対関係を、モノクロ基準原稿の画像データに基づいて補正した後、カラー基準原稿の画像データに基づいて補正する補正手段と、
を有することを特徴とした画像読取装置。
【請求項１４】
原稿の一方の面を読み取る第１読取手段と、
前記原稿の他方の面を読み取る第２読取手段と、
前記第２読取手段の原稿反射率−読取輝度特性のゲインとオフセットを色成分毎に補正する補正手段を有し、
前記補正手段は、前記第１読取手段及び前記第２読取手段により読み取られたモノクロ基準原稿の画像データに基づいて、前記第１読取手段の原稿反射率−読取輝度特性に合わせるように、前記第１読取手段及び前記第２読取手段の原稿反射率−読取輝度特性のゲインとオフセットを補正した後、前記第１読取手段及び前記第２読取手段により読み取られたカラー基準原稿の画像データに基づいて、前記第１読取手段と前記第２読取手段の色差が軽減されるように、前記第１読取手段及び前記第２読取手段の原稿反射率−読取輝度特性のオフセットを色成分毎に補正することを特徴とした画像読取装置。
【請求項１５】
原稿の一方の面を読み取る第１読取手段と、前記原稿の他方の面を読み取る第２読取手段を有する画像読取装置の読取特性補正方法であって、
前記第１読取手段及び前記第２読取手段によりモノクロ基準原稿を読み取らせ、
前記第１読取手段及び前記第２読取手段により読み取られたモノクロ基準原稿の画像データに基づいて、前記第１読取手段の原稿反射率−読取輝度特性に合わせるように、前記第２読取手段の原稿反射率−読取輝度特性のゲインとオフセットを補正し、
前記第１読取手段及び前記第２読取手段によりカラー基準原稿を読み取らせ、
前記第１読取手段及び前記第２読取手段により読み取られたカラー基準原稿の画像データに基づいて、前記第１読取手段と前記第２読取手段の色差が軽減されるように、前記第２読取手段の原稿反射率−読取輝度特性のオフセットを色成分毎に補正することを特徴とした画像読取装置の読取特性補正方法。
【請求項１６】
原稿の一方の面を読み取る第１読取手段と、前記原稿の他方の面を読み取る第２読取手段を有する画像読取装置の読取特性補正方法であって、
前記第１読取手段及び前記第２読取手段により読み取られたモノクロ基準原稿及びカラー基準原稿の画像データを受け取り、
前記第１読取手段と前記第２読取手段との読み取り階調特性の相対関係を、モノクロ基準原稿の画像データに基づいて補正した後、カラー基準原稿の画像データに基づいて補正することを特徴とした画像読取装置の読取特性補正方法。
【発明の詳細な説明】
【技術分野】
【０００１】
本発明は、原稿の一方の面と他方の面を異なる読取手段により読み取る画像読取装置及びその読取特性補正方法に関する。
【背景技術】
【０００２】
複写機等に用いられる画像読取装置には、生産性向上のために、表面読取手段と裏面読取手段を設けて、原稿の表裏反転を行うことなくそれぞれの読取手段により原稿の表裏を読み取る装置が知られている（例えば、特許文献１参照）。
【０００３】
このような画像読取装置は、原稿の表裏を異なる読取手段により読み取るため、同一の画像濃度を表面読取手段と裏面読取手段により読み取ったときに、表面読取手段と裏面読取手段の読み取りレベルに差が生じる場合がある。このような場合、原稿の表裏で再現される色や濃度が異なってしまうことがある。
【０００４】
表面読取手段と裏面読取手段の読み取りレベル差を補正する手段として、表面読み取り部で読み取った画像データの濃度と、裏面読み取り部で読み取った画像データの濃度を一致させるように画像補正をする方法がある（例えば、特許文献２参照）。
【０００５】
また、第１読取手段と第２読取手段により同一の調整用原稿を読み取って、各色成分の読取値が第１読取手段と第２読取手段で等しくなるようにガンマ補正テーブルと色補正係数を決定する方法がある（例えば、特許文献３参照）。
【特許文献１】特開２００４−１８７１４４号公報
【特許文献２】特開２００５−２１０２６８号公報
【特許文献３】特開２００６−２２９４６６号公報
【発明の開示】
【発明が解決しようとする課題】
【０００６】
しかし、特許文献２のような方法では、白黒画像に対する表裏の濃度は一致するものの、カラー画像に対する表裏の色差を補正するには不十分であった。すなわち、白黒画像に対する表裏の濃度を一致させたとしても、カラー画像に対する表裏の色味が合わない場合がある。特に、低輝度部における色味のずれが目立ってしまう傾向がある。
【０００７】
また、特許文献３のような方法では、第１読取手段と第２読取手段の色味を合わせることが可能であるが、ガンマ補正テーブルを生成するためのメモリを必要とするため、回路規模が大きくなり、コストが高くなってしまうという問題がある。
【課題を解決するための手段】
【０００８】
上述の課題を解決するため、本発明の画像読取装置は、原稿の一方の面を読み取る第１読取手段と、前記原稿の他方の面を読み取る第２読取手段と、前記第２読取手段の原稿反射率−読取輝度特性の傾きと切片を色成分毎に補正する補正手段を有し、前記補正手段は、前記第１読取手段及び前記第２読取手段により読み取られたモノクロ基準原稿の画像データに基づいて、前記第１読取手段の原稿反射率−読取輝度特性に合わせるように、前記第２読取手段の原稿反射率−読取輝度特性の傾きと切片を補正した後、前記第１読取手段及び前記第２読取手段により読み取られたカラー基準原稿の画像データに基づいて、前記第１読取手段と前記第２読取手段の色差が軽減されるように、前記第２読取手段の原稿反射率−読取輝度特性の切片を色成分毎に補正することを特徴とする。
【０００９】
また、本発明の画像読取装置は、原稿の一方の面を読み取る第１読取手段と、前記原稿の他方の面を読み取る第２読取手段と、前記第２読取手段の原稿反射率−読取輝度特性のゲインとオフセットを色成分毎に補正する補正手段を有し、前記補正手段は、前記第１読取手段及び前記第２読取手段により読み取られたモノクロ基準原稿の画像データに基づいて、前記第１読取手段の原稿反射率−読取輝度特性に合わせるように、前記第２読取手段の原稿反射率−読取輝度特性の傾きと切片を補正した後、前記第１読取手段及び前記第２読取手段により読み取られたカラー基準原稿の画像データに基づいて、前記第１読取手段と前記第２読取手段の色差が軽減されるように、前記第２読取手段の原稿反射率−読取輝度特性のオフセットを色成分毎に補正することを特徴とする。
【００１０】
また、本発明の画像読取装置は、原稿の一方の面を読み取る第１読取手段と、前記原稿の他方の面を読み取る第２読取手段と、前記第１読取手段と前記第２読取手段との読み取り階調特性の相対関係を、モノクロ基準原稿の画像データに基づいて補正した後、カラー基準原稿の画像データに基づいて補正する補正手段と、を有することを特徴とする。
【００１１】
また、本発明の画像読取装置は、原稿の一方の面を読み取る第１読取手段と、前記原稿の他方の面を読み取る第２読取手段と、前記第２読取手段の原稿反射率−読取輝度特性のゲインとオフセットを色成分毎に補正する補正手段を有し、前記補正手段は、前記第１読取手段及び前記第２読取手段により読み取られたモノクロ基準原稿の画像データに基づいて、前記第１読取手段の原稿反射率−読取輝度特性に合わせるように、前記第１読取手段及び前記第２読取手段の原稿反射率−読取輝度特性のゲインとオフセットを補正した後、前記第１読取手段及び前記第２読取手段により読み取られたカラー基準原稿の画像データに基づいて、前記第１読取手段と前記第２読取手段の色差が軽減されるように、前記第１読取手段及び前記第２読取手段の原稿反射率−読取輝度特性のオフセットを色成分毎に補正することを特徴とする。
【００１２】
また、本発明の画像読取装置の読取特性補正方法は、原稿の一方の面を読み取る第１読取手段と、前記原稿の他方の面を読み取る第２読取手段を有する画像読取装置の読取特性補正方法であって、前記第１読取手段及び前記第２読取手段によりモノクロ基準原稿を読み取らせ、前記第１読取手段及び前記第２読取手段により読み取られたモノクロ基準原稿の画像データに基づいて、前記第１読取手段の原稿反射率−読取輝度特性に合わせるように、前記第２読取手段の原稿反射率−読取輝度特性のゲインとオフセットを補正し、前記第１読取手段及び前記第２読取手段によりカラー基準原稿を読み取らせ、前記第１読取手段及び前記第２読取手段により読み取られたカラー基準原稿の画像データに基づいて、前記第１読取手段と前記第２読取手段の色差が軽減されるように、前記第２読取手段の原稿反射率−読取輝度特性のオフセットを色成分毎に補正することを特徴とする。
【００１３】
また、本発明の画像読取装置の読取特性補正方法は、原稿の一方の面を読み取る第１読取手段と、前記原稿の他方の面を読み取る第２読取手段を有する画像読取装置の読取特性補正方法であって、前記第１読取手段及び前記第２読取手段により読み取られたモノクロ基準原稿及びカラー基準原稿の画像データを受け取り、前記第１読取手段と前記第２読取手段との読み取り階調特性の相対関係を、モノクロ基準原稿の画像データに基づいて補正した後、カラー基準原稿の画像データに基づいて補正することを特徴とする。
【発明の効果】
【００１４】
本発明によれば、簡易な構成により、第１読取手段と第２読取手段の階調特性を合わせるとともに、第１読取手段と第２読取手段の色差を軽減した画像読取装置及び画像読取装置の読取特性補正方法を提供することができる。
【発明を実施するための最良の形態】
【００１５】
以下、本発明を実施するための最良の形態である画像読取装置及び画像読取装置の読取特性補正方法について、図面に基づいて詳細に説明する。
【００１６】
本実施形態の画像読取装置の構成を図１に示す。１００は原稿給送装置である。１１７は画像読取装置である。１０１は原稿トレイであり、原稿１０２を積載する。原稿トレイ１０１の上方には、給紙ローラ１０３が設けられている。給紙ローラ１０３は原稿トレイ１０１上の原稿１０２を給紙する。給紙ローラ１０３は、図示しないアームに軸支されているので、アームが揺動することにより上下に移動する。給紙動作が開始されると、給紙ローラ１０３は下降して原稿１０２の上面に当接する。
【００１７】
ローラ１０５は、分離ローラ１０４の対向側に配置されており、分離ローラ１０４側に押圧されている。ローラ１０５は、分離ローラ１０４より僅かに摩擦が少ないゴム材等により構成されており、分離ローラ１０４と協働して、給紙ローラ１０３によって給紙される原稿１０２を１枚ずつ捌いて給紙する。
【００１８】
分離ローラ１０４により分離された原稿は、静止したレジストローラ対１０６、１０７のニップ部に突き当てられ、それにより、原稿の先端が揃えられる。そして、リードローラ１０８および従動ローラ１０９は、原稿を流し読みガラス１１６に向けて搬送する。流し読みガラス１１６の対向側には、プラテンローラ１１０が配置されている。
【００１９】
ＣＣＤ（Ｃｈａｒｇｅ  Ｃｏｕｐｌｅｄ  Ｄｅｖｉｃｅ）ラインセンサ（以下、ＣＣＤ）１２６は、流し読みガラス１１６上を搬送される原稿１０２の表面（一方の面）の画像を読み取る。ＣＣＤ１２６により表面画像の読み取りが行われた原稿１０２は、リードローラ１１１および従動ローラ１１２によりＣＩＳ（コンタクトイメージセンサ）１２８へ向けて搬送される。１１５は流し読みガラス１１６からシートをすくい上げるためのジャンプ台である。ＣＩＳ１２８の対向側には、プラテンローラ１２７が配置されている。
【００２０】
ＣＩＳ１２８は、流し読みガラス１２９上を搬送される原稿１０２の裏面（他方の面）の画像情報を読み取る。ＣＩＳ１２８により裏面画像の読み取りが行われた原稿１０２は、排紙ローラ１１３により排紙トレイ１１４に排出される。
【００２１】
画像読取装置１１７は、読み取られるべき原稿面に対して光を照射するランプ１１９、原稿１０２からの反射光をＣＣＤ１２６に導くミラー１２０、１２１、１２２を有する。ランプ１１９およびミラー１２０は、第１ミラー台１２３に取り付けられている。また、ミラー１２１、１２２は、第２ミラー台１２４に取り付けられている。
【００２２】
ミラー台１２３、１２４は、ワイヤ（図示せず）によって駆動モータ（図示せず）と結合され、駆動モータの回転駆動により原稿台ガラス１１８と平行に移動する。原稿からの反射光は、ミラー１２０、１２１、１２２を介してレンズ１２５に導かれ、レンズ１２５によってＣＣＤ１２６の受光部に結像される。ＣＣＤ１２６は、結像した反射光を光電変換し、入射光量に応じた電気信号（アナログ信号）を出力する。
【００２３】
ＣＩＳ１２８は、原稿１０２からの反射光を受光素子で光電変換し、入射光量に応じた電気信号（アナログ信号）を出力する。
【００２４】
上記構成を有する画像読取装置は、原稿固定読みモードと原稿流し読みモードを有する。原稿固定読みモードでは、第１ミラー台１２３及び第２ミラー台１２４を副走査方向（図中矢印方向）に移動させることにより、原稿台ガラス１１８上に載置された原稿が読み取られる。原稿流し読みモードでは、第１ミラー台１２３及び第２ミラー台１２４を停止させた状態で、原稿搬送装置１００によって原稿１０２を搬送させることにより、流し読みガラス１１６上の原稿が読み取られる。原稿流し読みモードでは、流し読みガラス１２９を介してＣＩＳ１２８により原稿１０２の裏面の画像も読み取られる。
【００２５】
図２は、本実施形態の画像読取装置のブロック図である。タイミング生成回路２１１及び２０１は、読取タイミング信号をそれぞれＣＣＤ１２６及びＣＩＳ１２８へ供給する。ＣＣＤ１２６から出力されるアナログ信号は、Ａ／Ｄ変換部２１２によりデジタル信号に変換される。Ａ／Ｄ変換部２１２から出力されたデジタル信号（画像データ）は、画像処理回路２１３においてシェーディング補正等の画像処理が行われる。画像メモリ２１４には、画像処理回路２１３で画像処理されるべき画像データ及び画像処理回路２１３で画像処理された画像データが一時的に保存される。画像処理回路３０４において画像処理が行われた画像データは、不図示の画像形成装置に送られる。この画像形成装置は、電子写真方式やインクジェット方式により、画像読取装置１１７から入力された画像データに基づいた画像を用紙上に形成する。
【００２６】
図３は、表面読取部と裏面読取部の読取特性の表裏調整のフローチャートである。まず、ＣＰＵ２５０は、後述するようにシェーディング補正値の設定を行う（Ｓ３０１）。次に、ＣＰＵ２５０は、チャートを用いる調整かどうか判別し（Ｓ３０２）、チャートを用いる調整であれば、後述するようにグレーチャートによる表裏調整を行う（Ｓ３０３）。続いて、ＣＰＵ２５０は、後述するようにカラーチャートによる表裏調整を行い（Ｓ３０４）、表裏調整を終了する。ステップＳ３０２において、チャートを用いない調整と判別した場合は、後述するように手動調整を行い（Ｓ３０５）、表裏調整を終了する。
【００２７】
次に、図４のフローチャートに基づいて、図３のステップＳ３０１のＣＣＤ１２６及びＣＩＳ１２８のシェーディング補正値の設定について説明する。シェーディング補正は、ＣＣＤ１２６及びＣＩＳ１２８の主走査方向の読み取りばらつきを補正するものである。
【００２８】
まず、ＣＰＵ２５０は、ミラー台駆動部２２２を制御することにより、ミラー台１２３をシェーディング基準板１３１の位置まで移動させる。ＣＣＤ１２６は、ランプ１１９が消灯した状態で、シェーディング基準板１３１を読み取る（Ｓ４０１）。ＣＣＤ１２６からの画像信号はＡ／Ｄ変換部２１２、画象処理回路２１３を介して、画像データとして画像メモリ２１４に一時的に記憶される。ＣＰＵ２５０は、このときの読み取りデータに基づいてＣＣＤ１２６のシェーディング補正におけるオフセット補正値を決定し、画像処理回路２１３に設定する（Ｓ４０２）。ここで、オフセット補正値は、ランプ消灯時のシェーディング補正後の画像データが第１の所定値（例えば、輝度値で５）になるような、ＣＣＤ１２６の各画素に対するオフセット補正値である。
【００２９】
続いて、ＣＰＵ２５０は、ＣＩＳ１２８に内蔵されたランプを消灯させる。ＣＩＳ１２８は、シェーディング基準板１３２を読み取る（Ｓ４０３）。ＣＩＳ１２８からの画像信号はＡ／Ｄ変換部２０２、画象処理回路２０３を介して、画像データとして画像メモリ２０４に一時的に記憶される。ＣＰＵ２５０は、ＣＣＤ１２６のシェーディング補正データと同様に、このときの読み取りデータに基づいてＣＩＳ１２８のシェーディング補正におけるオフセット補正値を決定し、画像処理回路２１３に設定する（Ｓ４０４）。
【００３０】
次に、ＣＰＵ２５０は、ランプ駆動部２２０を制御することにより、ランプ１１９を点灯させる（Ｓ４０５）。ＣＣＤ１２６はシェーディング基準板１３１からの反射光を読み取る。ＣＣＤ１２６からの画像信号はＡ／Ｄ変換部２１２、画象処理回路２１３を介して、画像データとして画像メモリ２１４に一時的に記憶される。ＣＰＵ２５０は、このシェーディング基準板１３１の読み取りデータに基づいて、ＣＣＤ１２６のシェーディング補正におけるゲイン補正値を決定し、画像処理回路２１３に設定する（Ｓ４０６）。ここで、ゲイン補正値は、ＣＣＤ１２６がシェーディング基準板を読み取ったときのシェーディング補正後の画像データが第２の所定値（例えば、輝度値で２４５）になるような、ＣＣＤ１２６の各画素に対するゲイン補正値である。
【００３１】
続いて、ＣＰＵ２５０は、ＣＩＳ１２８に内蔵されている光源を点灯させ、流し読みガラス１２９を原稿搬送方向へ移動させることにより、流し読みガラス１２９に設けられたシェーディング基準板１３２をＣＩＳ１２８の読み取り位置へ移動させる。ＣＩＳ１２８は、シェーディング基準板１３２からの反射光を読み取る（Ｓ４０７）。ＣＩＳ１２８からの画像信号はＡ／Ｄ変換部２０２、画象処理回路２０３を介して、画像データとして画像メモリ２０４に一時的に記憶される。ＣＰＵ２５０は、ＣＣＤ１２６のシェーディング補正データと同様に、このシェーディング基準板の読み取りデータに基づいて、ＣＩＳ１２８のシェーディング補正におけるゲイン補正値を決定し、画像処理回路２０３に設定する（Ｓ４０８）。
【００３２】
その後、画像処理回路２１３及び２０３は、ＣＣＤ３０１及びＣＩＳ１２８から出力される原稿画像の画像データに対して、ＣＰＵ２５０により設定された画素毎のゲイン調整及びオフセット調整を伴ったシェーディング補正を行う。
【００３３】
このように、原稿の表面画像を読み取るＣＣＤ１２６及び原稿の裏面画像を読み取るＣＩＳ１２８の各々から出力される画像データに対して、上記シェーディング補正が行われる。
【００３４】
次に、図５のフローチャートに基づいて、図３のステップＳ３０３のグレーチャート（モノクロ基準原稿）による表裏調整について説明する。まず、調整作業者は、図６に示すような、少なくとも２つの異なる反射率の階調パッチ（グレースケール）を複数個有するグレーチャート６００を原稿トレイ１０１に上向きかつ図６に示す副走査方向に給送されるように載置する（Ｓ５０１）。このグレーチャート６００の各パッチの濃度は主走査方向において一様である。なお、ここでは階調パッチとして説明したが、複数の階調を有する階調画像であれば、パッチ形状以外の帯形状の画像などでもよい。
【００３５】
ＣＰＵ２５０は原稿給送装置１００の原稿搬送駆動部２２０を制御することにより、グレーチャート６００を給送させる。ＣＣＤ１２６（表面読取部、第１読取手段）は、グレーチャート６００を読み取る（Ｓ５０２）。読み取られたグレーチャート６００の画像データは画像処理回路２１３を介して画像メモリ２１４に記憶される。ＣＰＵ２５０は、画象メモリ２１４に記憶されたグレーチャート６００の各階調パッチ部分の読取輝度値を読み出してメモリ２５１に記憶する。
【００３６】
ＣＰＵ２５０は、図７に示すように、メモリ２５１に記憶された各階調パッチ部分の読取輝度値に基づいて、各階調パッチ部分の読取輝度値の主走査方向（左、中央、右）の平均値を色成分（赤、緑、青）毎に算出する（Ｓ５０３）。図７において、濃度とは、各階調パッチの測定濃度を示しており、反射率とは、次式（１）で定義される値を示している。
Ｒ＝１／１０＾Ｄ…（１）
式（１）において、Ｒは反射率、Ｄは濃度、＾は指数であることを表している。
【００３７】
次に、調整作業者は、グレーチャート６００を原稿トレイ１０１に下向きかつ図６に示す副走査方向に給送されるように載置する（Ｓ５０４）。
【００３８】
ＣＰＵ２５０は原稿給送装置１００の原稿搬送駆動部２２０を制御することにより、グレーチャート６００を給送させる。ＣＩＳ１２８（裏面読取部、第２読取手段）は、グレーチャート６００を読み取る（Ｓ５０５）。読み取られたグレーチャート６００の画像データは画像処理回路２０３を介して画像メモリ２０４に記憶される。ＣＰＵ２５０は、画象メモリ２０４に記憶されたグレーチャート６００の各階調パッチ部分の読取輝度値を読み出してメモリ２５１に記憶する。
【００３９】
ＣＰＵ２５０は、メモリ２５１に記憶された各階調パッチ部分の読取輝度値に基づいて、各階調パッチ部分の読取輝度値の主走査方向（左、中央、右）の平均値を色成分（赤、緑、青）毎に算出し、メモリ２５１に記憶させる（Ｓ５０６）。
【００４０】
次に、ＣＰＵ２５０は、後述するように、ＣＩＳ１２８（裏面読取部、第２読取手段）のゲイン調整値及びオフセット調整値を算出する（Ｓ５０７）。そして、ＣＰＵ２５０は、ＣＩＳ１２８のシェーディング補正値のゲイン調整値（傾き調整値）及びオフセット調整値（切片調整値）を画像処理回路に設定する（Ｓ５０８）。
【００４１】
ここで、図８に示すフローチャートに基づいて、ステップＳ５０７におけるＣＩＳ２１８（裏面読取部）のゲイン調整値及びオフセット調整値の算出について説明する。図３のステップＳ３０１にて、表面読取部と裏面読取部のそれぞれのシェーディング補正値が設定されたが、このままでは図９に示すように表面読取部と裏面読取部の読取特性は全く独立した状態となっている。そこで、ＣＣＤ１２６（表面読取部）及びＣＩＳ１２８（裏面読取部）のリニアリティ特性（原稿反射率−読取輝度特性、または階調特性）を一致させるように、裏面読取部のリニアリティ特性の調整を行う。これにより、表面読取部と裏面読取部のグレーチャートを読み取ったときの読取階調特性の相対関係を補正する。
【００４２】
ＣＣＤ１２６は集光レンズを用いた縮小光学系であるのに対し、ＣＩＳ１２８は近接の等倍光学系であり、この光学系の違いが原因でリニアリティ特性が異なる傾向がある。特に、ＣＣＤ１２６の低輝度部（低反射率の原稿部分を読み取ったときの輝度）においては、ＣＩＳ１２８に対して、線形性が若干異なっている。縮小光学系では、集光レンズを用いて集光するための一定の距離（光路）が必要であり、その光路の間にわずかながらフレア光にような外来光が混入してしまい、その影響を受けてしまうためである。
【００４３】
そこで、本実施形態では中間調の階調パッチのうち、低濃度側の１パッチ、高濃度側の１パッチを用いて表裏読み取り輝度の合わせ込みを行う。この２つの階調パッチは、原稿反射率−読取輝度特性を直線近似することが可能な反射率を有している。図９の表面読取部の原稿反射率−読取輝度特性に示されるように、低反射率部分における特性は非線形であるが、それ以外は直線近似可能であるため、直線近似可能な範囲内の２つの反射率の階調パッチを用いる。ここでは、濃度０．１５（反射率０．７１）と濃度１．７９（反射率０．０２）の階調パッチの表面読取部と裏面読取部の読取輝度に基づいて、裏面読取部のリニアリティ補正を行う。このように、２つの異なる反射率の階調パッチ間における表面読取部及び裏面読取部の原稿反射率−読取輝度特性は、非線形部分を避けた直線近似可能な部分である。
【００４４】
まず、ＣＰＵ２５０は、表面読取部について、メモリ２５１に記憶された２つの階調パッチ（濃度０．１５と１．７９）の色成分毎の平均値を読み出す。そして、読み出した２点の値に基づいて、ＣＣＤ１２６（表面読取部）の原稿反射率−読取輝度特性について、色成分毎の傾き及び切片を算出する（Ｓ８０１）。このＣＣＤ１２６の原稿反射率−読取輝度特性（リニアリティ特性）は、表面読取部と裏面読取部のリニアリティ特性をあわせるための基準とする。次に、ＣＩＳ１２８の原稿反射率−読取輝度特性についても、ＣＣＤ１２６と同様に、２つの階調パッチ（濃度０．１５と１．７９）の色成分毎の平均値に基づいて、色成分毎の傾き及び切片を算出する（Ｓ８０１）。
【００４５】
そして、図１０に示すように、裏面読取部の各色成分のリニアリティ特性を表面読取部に合わせるように、裏面読取部のシェーディング補正値の色成分毎の調整値（ゲイン調整値及びオフセット調整値）を算出する（Ｓ８０２）。ゲイン調整値及びオフセット調整値の算出後、ステップＳ５０７へ戻る。色成分毎に裏面読取部のゲイン調整及びオフセット調整を行った後の、表面読取部と裏面読取部の原稿反射率−読取輝度特性は図１１のようになる。
【００４６】
次に、図１２のフローチャートに基づいて、図３のステップＳ３０４のカラーチャートによる表裏調整について説明する。グレーチャートを用いて表面読取部及び裏面読取部のリニアリティ特性を一致させたが、この状態で低反射率のカラー画像を読み取った場合に、表面読取部と裏面読取部で色味の差が生じる場合がある。そこで、低反射率のカラー画像を読み取った場合の表面読取部と裏面読取部の色味の差を軽減させるべく、カラーチャートを用いて、裏面読取部の各色成分のリニアリティ特性のオフセット調整を行う。これにより、表面読取部と裏面読取部のカラーチャートを読み取ったときの読取階調特性の相対関係を補正する。
【００４７】
まず、調整作業者は、図１３に示す、色パッチを有するカラーチャート（カラー基準原稿）１３００を原稿トレイ１０１に上向きかつ図６に示す副走査方向に給送されるように載置する（Ｓ１２０１）。このカラーチャート１３００は、複数色（赤、緑、青、水色、ピンク、黄、オレンジ）の色パッチを有し、各色パッチは主走査方向に複数個配置され、主走査方向において一様である。なお、ここでは色パッチとして説明したが、複数の色を有する画像であれば、パッチ形状以外の帯形状の基準色画像などでもよい。
【００４８】
ＣＰＵ２５０は原稿給送装置１００の原稿搬送駆動部２２０を制御することにより、カラーチャート１３００を給送させる。ＣＣＤ１２６（表面読取部、第１読取手段）は、カラーチャート１３００を読み取る（Ｓ１２０２）。読み取られたカラーチャート１３００の画像データは画像処理回路２１３を介して画像メモリ２１４に記憶される。ＣＰＵ２５０は、画象メモリ２１４に記憶されたカラーチャート１３００の各色パッチ部分の読取輝度値を読み出してメモリ２５１に記憶する。
【００４９】
ＣＰＵ２５０は、図１５に示すように、メモリ２５１に記憶された各色パッチ部分の読取輝度値に基づいて、各色パッチ部分の読取輝度値の主走査方向（左、中央、右）の平均値を色成分（赤、緑、青）毎に算出する（Ｓ１２０３）。
【００５０】
次に、調整作業者は、カラーチャート１３００を原稿トレイ１０１に下向きかつ図６に示す副走査方向に給送されるように載置する（Ｓ１２０４）。
【００５１】
ＣＰＵ２５０は原稿給送装置１００の原稿搬送駆動部２２０を制御することにより、カラーチャート１３００を給送させる。ＣＩＳ１２８（裏面読取部、第２読取手段）は、カラーチャート１３００を読み取る（Ｓ１２０５）。読み取られたカラーチャート１３００の画像データは画像処理回路２０３を介して画像メモリ２０４に記憶される。ＣＰＵ２５０は、画象メモリ２０４に記憶されたカラーチャート１３００の各色パッチ部分の読取輝度値を読み出してメモリ２５１に記憶する。
【００５２】
ＣＰＵ２５０は、メモリ２５１に記憶された各色パッチ部分の読取輝度値に基づいて、各色パッチ部分の読取輝度値の主走査方向（左、中央、右）の平均値を色成分（赤、緑、青）毎に算出し、メモリ２５１に記憶させる（Ｓ１２０６）。
【００５３】
次に、ＣＰＵ２５０は、後述するように、ＣＩＳ１２８（裏面読取部、第２読取手段）のオフセット調整値を算出する（Ｓ１２０７）。そして、ＣＰＵ２５０は、ＣＩＳ１２８のシェーディング補正値のオフセット調整値（切片調整値）を画像処理回路に設定する（Ｓ１２０８）。
【００５４】
ここで、図１４に示すフローチャートに基づいて、ステップＳ１２０７におけるＣＩＳ２１８（裏面読取部）のオフセット調整値の算出について説明する。まず、ＣＰＵ２５０は、メモリ２５１に記憶された各色パッチ（各基準色画像）の色成分毎の平均値を読み出す。そして、ＣＰＵ２５０は、各色パッチの各色成分のうち、所定反射率以下（例えば、輝度値で２０以下）となる色成分（分光反射率の低い色成分）の表裏輝度差を色パッチ毎に算出する（Ｓ１４０１）。例えば、読取輝度の最大値を２５５とすると、図１３に示されるカラーチャート１３００の赤パッチの読取輝度は、赤≒１９０、緑≒１３、青≒１２となり、赤の成分がほとんどで、緑や青の読取輝度は極めて小さい。また、カラーチャート１３００の青パッチの読取輝度は、赤≒１５、緑≒１３、青≒４８となり、青の成分は高いが、赤や緑の読取輝度は小さい。ステップＳ１４０１では、この各色パッチの読取輝度が小さい成分の色について表裏輝度差を算出する。すなわち、例えば、図１５の右上に示すように、赤パッチについては、緑と青の成分についての表裏輝度差を算出する。他の色パッチも同様に、各色パッチの分光反射率において低い色成分での表裏輝度差を色成分毎に算出する。
【００５５】
次に、ＣＰＵ２５０は、図１５の表の右下に示すように、表裏輝度差の色パッチ間（基準色画像間）の平均値（Ｒｄｍ，Ｇｄｍ，Ｂｄｍ）を色成分毎に算出し（Ｓ１４０２）、更に、その平均値の２分の１（Ｒｄｍｈ，Ｇｄｍｈ，Ｂｄｍｈ）を算出する（Ｓ１４０３）。そして、ＣＰＵ２５０は各色成分のオフセット調整値をＲｄｍｈ，Ｇｄｍｈ，Ｂｄｍｈとする（Ｓ１４０４）。ステップＳ１４０３で表裏輝度差を２分の１演算するのは、単純にＲｄｍ，Ｇｄｍ，Ｂｄｍにより裏面読取部のリニアリティ特性をオフセット調整してしまうと、モノクロ画像を読み取ったときの表裏色差が出てしまう場合があるからである。Ｒｄｍｈ，Ｇｄｍｈ，Ｂｄｍｈでオフセット調整することで、モノクロ画像（グレー画像）での表裏色差への影響を小さくしつつ、カラー画像における表裏輝度差も低減することができる。但し、２分の１演算しなくても、モノクロ画像読み取り時の表裏色差に影響が出ない場合には、この２分の１演算を省略してもよい。
【００５６】
そして、ＣＰＵ２５０は、ステップＳ１４０４で決めたオフセット調整値が所定範囲（−２．０〜＋２．０）を超える色成分があるか判断する（Ｓ１４０５）。所定範囲を超える色成分がある場合には、図１５の右下に示すように、その色成分のオフセット調整値を所定範囲内の最大値に置き換え（Ｓ１４０６）、ステップＳ１２０８へ戻る。すなわち、オフセット調整値＜−２．０の場合は、オフセット調整値を−２．０とし、オフセット調整値＞＋２．０の場合は、オフセット調整値を＋２．０とする。これは、過剰にオフセット調整してしまうと、全体的な色バランスを崩すおそれがあり、そのためにリミッタを設けたものである。但し、リミッタを設けなくても、モノクロ画像読み取り時の表裏色差に影響が出ない場合には、このリミッタを省略してもよい。ステップ１４０５において、所定範囲を超える色成分がない場合には、ステップＳ１２０８へ戻る。
【００５７】
図１６は、カラーチャートによる表裏調整（オフセット調整）を行った場合の読取輝度値及び表裏輝度差を示す。この表から、低輝度域における表裏輝度差が小さくなっていることがわかる。
【００５８】
図１７は、グレーチャートによる表裏調整及びカラーチャートによる表裏調整を行った後における表面読取部と裏面読取部の原稿反射率−読取輝度特性を示す。全体としては表裏で少しずれた状態となるが、目立ちやすい低反射率部分の表裏の色差及び輝度差は低減されている。
【００５９】
次に、図１８のフローチャートに基づいて、図３のステップＳ３０５の手動調整について説明する。まず、ＣＰＵ２５０は、操作部１５０で指定された手動調整すべき色成分を認識する（Ｓ１８０１）。そして、ＣＰＵ２５０は、操作部１５０でオフセット増加が指定され（Ｓ１８０２）、オフセット調整値が所定範囲を超えない場合は（Ｓ１８０３）、指定された色成分のシェーディング補正値のオフセットを増加させる調整を行う（Ｓ１８０４）。また、ＣＰＵ２５０は、操作部１５０でオフセット減少が指定され（Ｓ１８０５）、オフセット調整値が所定範囲を超えない場合は（Ｓ１８０６）、指定された色成分のシェーディング補正値のオフセットを減少させる調整を行う（Ｓ１８０７）。これらの処理を終えると、図３のフローチャートへ戻る。この手動調整は、カラーチャートがその場になくても、簡易的に表裏の色差調整を可能にするものである。
【００６０】
上述した実施形態では、裏面読取部のリニアリティ特性を表面読取部のリニアリティ特性に合わせたが、表面読取部のリニアリティ特性を裏面読取部のリニアリティ特性に合わせるようにしてもよい。また、表面読取部と裏面読取部のリニアリティ特性それぞれを調整して、表裏のリニアリティ特性を合わせるようにしてもよい。これにより、表面読取部と裏面読取部のグレーチャート及びカラーチャートを読み取ったときの読取階調特性の相対関係を補正する。
【００６１】
また、上述した実施形態では、画像読取装置が表裏調整を行うように説明したが、表裏調整処理については、画像読取装置に接続されたパーソナルコンピュータや画像形成装置が行うようにしてもよい。この場合、画象処理回路２０３及び２１３と同等の機能を画像形成装置やパーソナルコンピュータに備えている。画像形成装置やパーソナルコンピュータは、画像読取装置が読み取ったチャートの画像データを受け取り、この画像データに基づいて、前述した算出及び調整に関する処理を行う。この処理を実行するためのプログラムは、ハードディスクやＣＤ−ＲＯＭ等の記憶媒体に記憶されており、画像形成装置やパーソナルコンピュータのＣＰＵにより読み取られ、実行される。
【図面の簡単な説明】
【００６２】
【図１】本発明の実施形態の画像読取装置の断面図である。
【図２】本実施形態の画像読取装置のブロック図である。
【図３】表面読取部と裏面読取部の読取特性の表裏調整に関するフローチャートである。
【図４】シェーディング補正値の設定に関するフローチャートである。
【図５】グレーチャートによる表裏調整に関するフローチャートである。
【図６】グレーチャートを示す図である。
【図７】グレーチャートの各階調パッチ部分の読取輝度値及び主走査方向の平均値を示す図である。
【図８】裏面読取部のゲイン補正値及びオフセット調整値の算出に関するフローチャートである。
【図９】グレーチャートによる表裏調整前の表面読取部及び裏面読取部のリニアリティ特性を示す図である。
【図１０】グレーチャートによる表裏調整後の表面読取部及び裏面読取部の各色成分のリニアリティ特性を示す図である。
【図１１】グレーチャートによる表裏調整後の表面読取部及び裏面読取部のリニアリティ特性を示す図である。
【図１２】カラーチャートによる表裏調整に関するフローチャートである。
【図１３】カラーチャートを示す図である。
【図１４】裏面読取部のオフセット補正値の算出に関するフローチャートである。
【図１５】図１３の補正用カラーチャート読み取り値の具体例を示す図である。
【図１６】図１５の裏面の読取データに図１５中の差分平均値をオフセットとして加算した場合の表裏輝度差の具定例である。
【図１７】カラーチャートによる表裏調整後の表面読取部及び裏面読取部のリニアリティ特性を示す図である。
【図１８】手動調整に関するフローチャートである。
【符号の説明】
【００６３】
１００  原稿給送装置
１１７  画像読取装置
１２６  ＣＣＤ
１２８  ＣＩＳ
１５０  操作部
２０３、２１３  画像処理回路
２５０  ＣＰＵ
【図１】
2008301213.tif 000003
【図２】
2008301213.tif 000004
【図３】
2008301213.tif 000005
【図４】
2008301213.tif 000006
【図５】
2008301213.tif 000007
【図６】
2008301213.tif 000008
【図７】
2008301213.tif 000009
【図８】
2008301213.tif 000010
【図９】
2008301213.tif 000011
【図１０】
2008301213.tif 000012
【図１１】
2008301213.tif 000013
【図１２】
2008301213.tif 000014
【図１３】
2008301213.tif 000015
【図１４】
2008301213.tif 000016
【図１５】
2008301213.tif 000017
【図１６】
2008301213.tif 000018
【図１７】
2008301213.tif 000019
【図１８】
2008301213.tif 000020
【手続補正書】
【提出日】平成20年5月23日(2008.5.23)
【手続補正１】
【補正対象書類名】特許請求の範囲
【補正対象項目名】全文
【補正方法】変更
【補正の内容】
【特許請求の範囲】
【請求項１】
原稿の一方の面を読み取る第１読取手段と、前記原稿の他方の面を読み取る第２読取手段を有する画像読取装置の読取特性補正方法であって、
前記第１読取手段及び前記第２読取手段によりモノクロ基準原稿を読み取らせ、
前記第１読取手段及び前記第２読取手段により読み取られたモノクロ基準原稿の画像データに基づいて、前記第１読取手段の原稿反射率−読取輝度特性に合わせるように、前記第２読取手段の原稿反射率−読取輝度特性のゲインとオフセットを補正し、
前記第１読取手段及び前記第２読取手段によりカラー基準原稿を読み取らせ、
前記第１読取手段及び前記第２読取手段により読み取られたカラー基準原稿の画像データに基づいて、前記第１読取手段と前記第２読取手段の色差が軽減されるように、前記第２読取手段の原稿反射率−読取輝度特性のオフセットを色成分毎に補正することを特徴とした画像読取装置の読取特性補正方法。
【請求項２】
原稿の一方の面を読み取る第１読取手段と、前記原稿の他方の面を読み取る第２読取手段を有する画像読取装置の読取特性補正方法であって、
前記第１読取手段及び前記第２読取手段により読み取られたモノクロ基準原稿及びカラー基準原稿の画像データを受け取り、
前記第１読取手段と前記第２読取手段との読み取り階調特性の相対関係を、モノクロ基準原稿の画像データに基づいて補正した後、カラー基準原稿の画像データに基づいて補正することを特徴とした画像読取装置の読取特性補正方法。
【請求項３】
原稿の一方の面を読み取る第１読取手段と、
前記原稿の他方の面を読み取る第２読取手段と、
前記第２読取手段の原稿反射率−読取輝度特性の傾きと切片を色成分毎に補正する補正手段を有し、
前記補正手段は、前記第１読取手段及び前記第２読取手段により読み取られたモノクロ基準原稿の画像データに基づいて、前記第１読取手段の原稿反射率−読取輝度特性に合わせるように、前記第２読取手段の原稿反射率−読取輝度特性の傾きと切片を補正した後、前記第１読取手段及び前記第２読取手段により読み取られたカラー基準原稿の画像データに基づいて、前記第１読取手段と前記第２読取手段の色差が軽減されるように、前記第２読取手段の原稿反射率−読取輝度特性の切片を色成分毎に補正することを特徴とした画像読取装置。
【請求項４】
前記補正手段は、前記第１読取手段及び前記第２読取手段により読み取られたモノクロ基準原稿の画像データに基づいて、前記第１読取手段の原稿反射率−読取輝度特性の傾きと切片に、前記第２読取手段の原稿反射率−読取輝度特性の傾きと切片を一致させることを特徴とする請求項３記載の画像形成手段。
【請求項５】
前記モノクロ基準原稿は、少なくとも２つの異なる反射率を有する階調画像からなり、前記補正手段は、前記第１読取手段及び前記第２読取手段により読み取られた２つの異なる階調画像の画像データに基づいて、前記第１読取手段と前記第２読取手段の原稿反射率−読取輝度特性の直線近似を行うことを特徴とする請求項３記載の画像読取装置。
【請求項６】
前記２つの異なる反射率の間における前記第１読取手段及び前記第２読取手段の原稿反射率−読取輝度特性は、非線形部分を避けた直線近似可能な部分であることを特徴とする請求項５記載の画像読取装置。
【請求項７】
前記カラー基準原稿は、複数色の基準色画像からなり、前記補正手段は、前記第１読取手段及び前記第２読取手段により読み取られた前記カラー基準原稿の各基準色画像の色成分のうち、所定反射率以下となる色成分の表裏輝度差に応じて、前記第２読取手段の原稿反射率−読取輝度特性の切片を色成分毎に補正することを特徴とした請求項３記載の画像読取装置。
【請求項８】
前記補正手段は、前記所定反射率以下となる色成分の表裏輝度差の前記基準色画像間の平均値に応じて、前記第２読取手段の原稿反射率−読取輝度特性の切片を色成分毎に補正することを特徴とした請求項７記載の画像読取装置。
【請求項９】
前記補正手段は、前記所定反射率以下となる色成分の表裏輝度差の前記基準色画像間の平均値を２分の１した値に応じて、前記第２読取手段の原稿反射率−読取輝度特性の切片を色成分毎に補正することを特徴とした請求項７記載の画像読取装置。
【請求項１０】
前記補正手段は、前記所定反射率以下となる色成分の表裏輝度差の前記基準色画像間の平均値を２分の１した値が所定範囲を超える場合は、所定範囲内の最大値に応じて、前記第２読取手段の原稿反射率−読取輝度特性の切片を色成分毎に補正することを特徴とした請求項９記載の画像読取装置。
【請求項１１】
前記モノクロ基準原稿は、複数の中間調の階調パッチからなり、前記カラー基準原稿は、複数色の色パッチからなることを特徴とする請求項３記載の画像読取装置。
【請求項１２】
前記第１読取手段は、縮小光学系を用いた読取手段、前記第２読取手段は、等倍光学系を用いた読取手段であることを特徴とする請求項３記載の画像読取装置。
【請求項１３】
前記第２読取手段の原稿反射率−読取輝度特性の切片の補正値を指定するための操作部を有し、前記補正手段は前記操作部からの指定に応じて前記第２読取手段の原稿反射率−読取輝度特性の切片を色成分毎に補正することを特徴とする請求項３記載の画像読取装置。
【請求項１４】
原稿の一方の面を読み取る第１読取手段と、
前記原稿の他方の面を読み取る第２読取手段と、
前記第２読取手段の原稿反射率−読取輝度特性のゲインとオフセットを色成分毎に補正する補正手段を有し、
前記補正手段は、前記第１読取手段及び前記第２読取手段により読み取られたモノクロ基準原稿の画像データに基づいて、前記第１読取手段の原稿反射率−読取輝度特性に合わせるように、前記第２読取手段の原稿反射率−読取輝度特性の傾きと切片を補正した後、前記第１読取手段及び前記第２読取手段により読み取られたカラー基準原稿の画像データに基づいて、前記第１読取手段と前記第２読取手段の色差が軽減されるように、前記第２読取手段の原稿反射率−読取輝度特性のオフセットを色成分毎に補正することを特徴とした画像読取装置。
【請求項１５】
原稿の一方の面を読み取る第１読取手段と、
前記原稿の他方の面を読み取る第２読取手段と、
前記第１読取手段と前記第２読取手段との読み取り階調特性の相対関係を、モノクロ基準原稿の画像データに基づいて補正した後、カラー基準原稿の画像データに基づいて補正する補正手段と、
を有することを特徴とした画像読取装置。
【請求項１６】
原稿の一方の面を読み取る第１読取手段と、
前記原稿の他方の面を読み取る第２読取手段と、
前記第２読取手段の原稿反射率−読取輝度特性のゲインとオフセットを色成分毎に補正する補正手段を有し、
前記補正手段は、前記第１読取手段及び前記第２読取手段により読み取られたモノクロ基準原稿の画像データに基づいて、前記第１読取手段の原稿反射率−読取輝度特性に合わせるように、前記第１読取手段及び前記第２読取手段の原稿反射率−読取輝度特性のゲインとオフセットを補正した後、前記第１読取手段及び前記第２読取手段により読み取られたカラー基準原稿の画像データに基づいて、前記第１読取手段と前記第２読取手段の色差が軽減されるように、前記第１読取手段及び前記第２読取手段の原稿反射率−読取輝度特性のオフセットを色成分毎に補正することを特徴とした画像読取装置。
【手続補正２】
【補正対象書類名】明細書
【補正対象項目名】０００８
【補正方法】変更
【補正の内容】
【０００８】
上述の課題を解決するため、本発明の画像読取装置の読取特性補正方法は、原稿の一方の面を読み取る第１読取手段と、前記原稿の他方の面を読み取る第２読取手段を有する画像読取装置の読取特性補正方法であって、前記第１読取手段及び前記第２読取手段によりモノクロ基準原稿を読み取らせ、前記第１読取手段及び前記第２読取手段により読み取られたモノクロ基準原稿の画像データに基づいて、前記第１読取手段の原稿反射率−読取輝度特性に合わせるように、前記第２読取手段の原稿反射率−読取輝度特性のゲインとオフセットを補正し、前記第１読取手段及び前記第２読取手段によりカラー基準原稿を読み取らせ、前記第１読取手段及び前記第２読取手段により読み取られたカラー基準原稿の画像データに基づいて、前記第１読取手段と前記第２読取手段の色差が軽減されるように、前記第２読取手段の原稿反射率−読取輝度特性のオフセットを色成分毎に補正することを特徴とする。
また、本発明の画像読取装置の読取特性補正方法は、原稿の一方の面を読み取る第１読取手段と、前記原稿の他方の面を読み取る第２読取手段を有する画像読取装置の読取特性補正方法であって、前記第１読取手段及び前記第２読取手段により読み取られたモノクロ基準原稿及びカラー基準原稿の画像データを受け取り、前記第１読取手段と前記第２読取手段との読み取り階調特性の相対関係を、モノクロ基準原稿の画像データに基づいて補正した後、カラー基準原稿の画像データに基づいて補正することを特徴とする。
また、本発明の画像読取装置は、原稿の一方の面を読み取る第１読取手段と、前記原稿の他方の面を読み取る第２読取手段と、前記第２読取手段の原稿反射率−読取輝度特性の傾きと切片を色成分毎に補正する補正手段を有し、前記補正手段は、前記第１読取手段及び前記第２読取手段により読み取られたモノクロ基準原稿の画像データに基づいて、前記第１読取手段の原稿反射率−読取輝度特性に合わせるように、前記第２読取手段の原稿反射率−読取輝度特性の傾きと切片を補正した後、前記第１読取手段及び前記第２読取手段により読み取られたカラー基準原稿の画像データに基づいて、前記第１読取手段と前記第２読取手段の色差が軽減されるように、前記第２読取手段の原稿反射率−読取輝度特性の切片を色成分毎に補正することを特徴とする。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００２４
【補正方法】変更
【補正の内容】
【００２４】
上記構成を有する画像読取装置は、原稿固定読みモードと原稿流し読みモードを有する。原稿固定読みモードでは、第１ミラー台１２３及び第２ミラー台１２４を副走査方向（図１中水平方向）に移動させることにより、原稿台ガラス１１８上に載置された原稿が読み取られる。原稿流し読みモードでは、第１ミラー台１２３及び第２ミラー台１２４を停止させた状態で、原稿搬送装置１００によって原稿１０２を搬送させることにより、流し読みガラス１１６上の原稿が読み取られる。原稿流し読みモードでは、流し読みガラス１２９を介してＣＩＳ１２８により原稿１０２の裏面の画像も読み取られる。
【手続補正６】
【補正対象書類名】明細書
【補正対象項目名】００２８
【補正方法】変更
【補正の内容】
【００２８】
まず、ＣＰＵ２５０は、ミラー台駆動部２２２を制御することにより、ミラー台１２３をシェーディング基準板１３１の位置まで移動させる。ＣＣＤ１２６は、ランプ１１９が消灯した状態で、シェーディング基準板１３１を読み取る（Ｓ４０１）。ＣＣＤ１２６からの画像信号はＡ／Ｄ変換部２１２、画像処理回路２１３を介して、画像データとして画像メモリ２１４に一時的に記憶される。ＣＰＵ２５０は、このときの読み取りデータに基づいてＣＣＤ１２６のシェーディング補正におけるオフセット補正値を決定し、画像処理回路２１３に設定する（Ｓ４０２）。ここで、オフセット補正値は、ランプ消灯時のシェーディング補正後の画像データが第１の所定値（例えば、輝度値で５）になるような、ＣＣＤ１２６の各画素に対するオフセット補正値である。
【手続補正７】
【補正対象書類名】明細書
【補正対象項目名】００２９
【補正方法】変更
【補正の内容】
【００２９】
続いて、ＣＰＵ２５０は、ＣＩＳ１２８に内蔵されたランプを消灯させる。ＣＩＳ１２８は、シェーディング基準板１３２を読み取る（Ｓ４０３）。ＣＩＳ１２８からの画像信号はＡ／Ｄ変換部２０２、画像処理回路２０３を介して、画像データとして画像メモリ２０４に一時的に記憶される。ＣＰＵ２５０は、ＣＣＤ１２６のシェーディング補正データと同様に、このときの読み取りデータに基づいてＣＩＳ１２８のシェーディング補正におけるオフセット補正値を決定し、画像処理回路２１３に設定する（Ｓ４０４）。
【手続補正８】
【補正対象書類名】明細書
【補正対象項目名】００３０
【補正方法】変更
【補正の内容】
【００３０】
次に、ＣＰＵ２５０は、ランプ駆動部２２０を制御することにより、ランプ１１９を点灯させる（Ｓ４０５）。ＣＣＤ１２６はシェーディング基準板１３１からの反射光を読み取る。ＣＣＤ１２６からの画像信号はＡ／Ｄ変換部２１２、画像処理回路２１３を介して、画像データとして画像メモリ２１４に一時的に記憶される。ＣＰＵ２５０は、このシェーディング基準板１３１の読み取りデータに基づいて、ＣＣＤ１２６のシェーディング補正におけるゲイン補正値を決定し、画像処理回路２１３に設定する（Ｓ４０６）。ここで、ゲイン補正値は、ＣＣＤ１２６がシェーディング基準板を読み取ったときのシェーディング補正後の画像データが第２の所定値（例えば、輝度値で２４５）になるような、ＣＣＤ１２６の各画素に対するゲイン補正値である。
【手続補正９】
【補正対象書類名】明細書
【補正対象項目名】００３１
【補正方法】変更
【補正の内容】
【００３１】
続いて、ＣＰＵ２５０は、ＣＩＳ１２８に内蔵されている光源を点灯させ、流し読みガラス１２９を原稿搬送方向へ移動させることにより、流し読みガラス１２９に設けられたシェーディング基準板１３２をＣＩＳ１２８の読み取り位置へ移動させる。ＣＩＳ１２８は、シェーディング基準板１３２からの反射光を読み取る（Ｓ４０７）。ＣＩＳ１２８からの画像信号はＡ／Ｄ変換部２０２、画像処理回路２０３を介して、画像データとして画像メモリ２０４に一時的に記憶される。ＣＰＵ２５０は、ＣＣＤ１２６のシェーディング補正データと同様に、このシェーディング基準板の読み取りデータに基づいて、ＣＩＳ１２８のシェーディング補正におけるゲイン補正値を決定し、画像処理回路２０３に設定する（Ｓ４０８）。
【手続補正１０】
【補正対象書類名】明細書
【補正対象項目名】００３２
【補正方法】変更
【補正の内容】
【００３２】
その後、画像処理回路２１３及び２０３は、ＣＣＤ１２６及びＣＩＳ１２８から出力される原稿画像の画像データに対して、ＣＰＵ２５０により設定された画素毎のゲイン調整及びオフセット調整を伴ったシェーディング補正を行う。
【手続補正１１】
【補正対象書類名】明細書
【補正対象項目名】００３５
【補正方法】変更
【補正の内容】
【００３５】
ＣＰＵ２５０は原稿給送装置１００の原稿搬送駆動部２２０を制御することにより、グレーチャート６００を給送させる。ＣＣＤ１２６（表面読取部、第１読取手段）は、グレーチャート６００を読み取る（Ｓ５０２）。読み取られたグレーチャート６００の画像データは画像処理回路２１３を介して画像メモリ２１４に記憶される。ＣＰＵ２５０は、画像メモリ２１４に記憶されたグレーチャート６００の各階調パッチ部分の読取輝度値を読み出してメモリ２５１に記憶する。
【手続補正１２】
【補正対象書類名】明細書
【補正対象項目名】００３８
【補正方法】変更
【補正の内容】
【００３８】
ＣＰＵ２５０は原稿給送装置１００の原稿搬送駆動部２２０を制御することにより、グレーチャート６００を給送させる。ＣＩＳ１２８（裏面読取部、第２読取手段）は、グレーチャート６００を読み取る（Ｓ５０５）。読み取られたグレーチャート６００の画像データは画像処理回路２０３を介して画像メモリ２０４に記憶される。ＣＰＵ２５０は、画像メモリ２０４に記憶されたグレーチャート６００の各階調パッチ部分の読取輝度値を読み出してメモリ２５１に記憶する。
【手続補正１３】
【補正対象書類名】明細書
【補正対象項目名】００４１
【補正方法】変更
【補正の内容】
【００４１】
ここで、図８に示すフローチャートに基づいて、ステップＳ５０７におけるＣＩＳ１２８（裏面読取部）のゲイン調整値及びオフセット調整値の算出について説明する。図３のステップＳ３０１にて、表面読取部と裏面読取部のそれぞれのシェーディング補正値が設定されたが、このままでは図９に示すように表面読取部と裏面読取部の読取特性は全く独立した状態となっている。そこで、ＣＣＤ１２６（表面読取部）及びＣＩＳ１２８（裏面読取部）のリニアリティ特性（原稿反射率−読取輝度特性、または階調特性）を一致させるように、裏面読取部のリニアリティ特性の調整を行う。これにより、表面読取部と裏面読取部のグレーチャートを読み取ったときの読取階調特性の相対関係を補正する。
【手続補正１４】
【補正対象書類名】明細書
【補正対象項目名】００４２
【補正方法】変更
【補正の内容】
【００４２】
ＣＣＤ１２６は集光レンズを用いた縮小光学系であるのに対し、ＣＩＳ１２８は近接読み取りを行う等倍光学系であり、この光学系の違いが原因でリニアリティ特性が異なる傾向がある。特に、ＣＣＤ１２６の低輝度部（低反射率の原稿部分を読み取ったときの輝度）においては、ＣＩＳ１２８に対して、線形性が若干異なっている。縮小光学系では、集光レンズを用いて集光するための一定の距離（光路）が必要であり、その光路の間にわずかながらフレア光のような外来光が混入してしまい、その影響を受けてしまうためである。
【手続補正１５】
【補正対象書類名】明細書
【補正対象項目名】００４８
【補正方法】変更
【補正の内容】
【００４８】
ＣＰＵ２５０は原稿給送装置１００の原稿搬送駆動部２２０を制御することにより、カラーチャート１３００を給送させる。ＣＣＤ１２６（表面読取部、第１読取手段）は、カラーチャート１３００を読み取る（Ｓ１２０２）。読み取られたカラーチャート１３００の画像データは画像処理回路２１３を介して画像メモリ２１４に記憶される。ＣＰＵ２５０は、画像メモリ２１４に記憶されたカラーチャート１３００の各色パッチ部分の読取輝度値を読み出してメモリ２５１に記憶する。
【手続補正１６】
【補正対象書類名】明細書
【補正対象項目名】００５１
【補正方法】変更
【補正の内容】
【００５１】
ＣＰＵ２５０は原稿給送装置１００の原稿搬送駆動部２２０を制御することにより、カラーチャート１３００を給送させる。ＣＩＳ１２８（裏面読取部、第２読取手段）は、カラーチャート１３００を読み取る（Ｓ１２０５）。読み取られたカラーチャート１３００の画像データは画像処理回路２０３を介して画像メモリ２０４に記憶される。ＣＰＵ２５０は、画像メモリ２０４に記憶されたカラーチャート１３００の各色パッチ部分の読取輝度値を読み出してメモリ２５１に記憶する。
【手続補正１７】
【補正対象書類名】明細書
【補正対象項目名】００５４
【補正方法】変更
【補正の内容】
【００５４】
ここで、図１４に示すフローチャートに基づいて、ステップＳ１２０７におけるＣＩＳ１２８（裏面読取部）のオフセット調整値の算出について説明する。まず、ＣＰＵ２５０は、メモリ２５１に記憶された各色パッチ（各基準色画像）の色成分毎の平均値を読み出す。そして、ＣＰＵ２５０は、各色パッチの各色成分のうち、所定反射率以下（例えば、輝度値で２０以下）となる色成分（分光反射率の低い色成分）の表裏輝度差を色パッチ毎に算出する（Ｓ１４０１）。例えば、読取輝度の最大値を２５５とすると、図１３に示されるカラーチャート１３００の赤パッチの読取輝度は、赤≒１９０、緑≒１３、青≒１２となり、赤の成分がほとんどで、緑や青の読取輝度は極めて小さい。また、カラーチャート１３００の青パッチの読取輝度は、赤≒１５、緑≒１３、青≒４８となり、青の成分は高いが、赤や緑の読取輝度は小さい。ステップＳ１４０１では、この各色パッチの読取輝度が小さい成分の色について表裏輝度差を算出する。すなわち、例えば、図１５の右上に示すように、赤パッチについては、緑と青の成分についての表裏輝度差を算出する。他の色パッチも同様に、各色パッチの分光反射率において低い色成分での表裏輝度差を色成分毎に算出する。
【手続補正１８】
【補正対象書類名】明細書
【補正対象項目名】００６１
【補正方法】変更
【補正の内容】
【００６１】
また、上述した実施形態では、画像読取装置が表裏調整を行うように説明したが、表裏調整処理については、画像読取装置に接続されたパーソナルコンピュータや画像形成装置が行うようにしてもよい。この場合、画像処理回路２０３及び２１３と同等の機能を画像形成装置やパーソナルコンピュータに備えている。画像形成装置やパーソナルコンピュータは、画像読取装置が読み取ったチャートの画像データを受け取り、この画像データに基づいて、前述した算出及び調整に関する処理を行う。この処理を実行するためのプログラムは、ハードディスクやＣＤ−ＲＯＭ等の記憶媒体に記憶されており、画像形成装置やパーソナルコンピュータのＣＰＵにより読み取られ、実行される。
【手続補正１９】
【補正対象書類名】明細書
【補正対象項目名】００６２
【補正方法】変更
【補正の内容】
【００６２】
【図１】本発明の実施形態の画像読取装置の断面図である。
【図２】本実施形態の画像読取装置のブロック図である。
【図３】表面読取部と裏面読取部の読取特性の表裏調整に関するフローチャートである。
【図４】シェーディング補正値の設定に関するフローチャートである。
【図５】グレーチャートによる表裏調整に関するフローチャートである。
【図６】グレーチャートを示す図である。
【図７】グレーチャートの各階調パッチ部分の読取輝度値及び主走査方向の平均値を示す図である。
【図８】裏面読取部のゲイン補正値及びオフセット調整値の算出に関するフローチャートである。
【図９】グレーチャートによる表裏調整前の表面読取部及び裏面読取部のリニアリティ特性を示す図である。
【図１０】グレーチャートによる表裏調整後の表面読取部及び裏面読取部の各色成分のリニアリティ特性を示す図である。
【図１１】グレーチャートによる表裏調整後の表面読取部及び裏面読取部のリニアリティ特性を示す図である。
【図１２】カラーチャートによる表裏調整に関するフローチャートである。
【図１３】カラーチャートを示す図である。
【図１４】裏面読取部のオフセット補正値の算出に関するフローチャートである。
【図１５】図１３の補正用カラーチャート読み取り値の具体例を示す図である。
【図１６】図１５の裏面の読取データに図１５中の差分平均値をオフセットとして加算した場合の表裏輝度差の具体例である。
【図１７】カラーチャートによる表裏調整後の表面読取部及び裏面読取部のリニアリティ特性を示す図である。
【図１８】手動調整に関するフローチャートである。